Podtech/llm-jp-corpus-v4-ja_patent huggingface dataset:
【手続補正書】
【提出日】平成18年4月7日(2006.4.7)
【手続補正１】
【補正対象書類名】明細書
【補正対象項目名】特許請求の範囲
【補正方法】変更
【補正の内容】
【特許請求の範囲】
【請求項１】  アルゴリズム及び秘密キーがスマートカード（ＳＩＭ）に格納され、メッセージ交換ネットワークにおいて、スマートカード（ＳＩＭ）の認証のため：
−  初めに前記ネットワークまたはネットワーク要素が乱数（ＲＡＮＤ）を前記スマートカードに転送し；
−  前記アルゴリズム及び秘密キー（Ｋｉ）により前記スマートカードで認証パラメータ（ＳＲＥＳ）が前記乱数から生成されて前記ネットワークまたはネットワーク要素に転送される；
認証方法において：
−  認証パラメータを作成するために前記秘密キー（Ｋｉ）及び前記乱数（ＲＡＮＤ）がそれぞれ少なくとも２つの部分（Ｋ１，Ｋ２；ＲＡＮＤ１，ＲＡＮＤ２）に分割され；
−  前記転送された乱数（ＲＡＮＤ）の前記部分（ＲＡＮＤ１，ＲＡＮＤ２）の内の１つが、１ステップまたは複数ステップの前記秘密キー（Ｋｉ）の前記部分（Ｋ１，Ｋ２）の内の１つ以上を用いて暗号化される；
ことを特徴とする方法。
【請求項２】  前記暗号化の結果からある与えられた数のビットが選択されて認証パラメータ（ＳＲＥＳ）として前記ネットワークに転送されることを特徴とする請求項１記載の方法。
【請求項３】  前記秘密キー（Ｋｉ）及び／または前記乱数（ＲＡＮＤ）が２つの部分に分割されることを特徴とする請求項１または２記載の方法。
【請求項４】  前記転送された乱数（ＲＡＮＤ）の一部分及び前記秘密キー（Ｋｉ）の１つ及び／または複数の部分が１ステップまたは複数ステップのアルゴリズムによりチャネルコード化キー（ＫＣ）を計算するために用いられ、前記計算結果の少なくとも１つの部分が前記チャネルコード化キー（ＫＣ）として用いられることを特徴とする請求項１から３いずれか１項記載の方法。
【請求項５】  前記キー（Ｋｉ）及び前記乱数（ＲＡＮＤ）が２つの等長部分（Ｋ１，Ｋ２；ＲＡＮＤ１，ＲＡＮＤ２）に分割されることを特徴とする請求項１から４いずれか１項記載の方法。
【請求項６】  前記認証パラメータ（ＳＲＥＳ，ＳＲＥＳ’）及び／または前記チャネルコード化キー（ＫＣ）を計算するためにＤＥＳアルゴリズムが用いられることを特徴とする請求項１から５いずれか１項記載の方法。
【請求項７】  前記認証パラメータ（ＳＲＥＳ，ＳＲＥＳ’）及び／または前記チャネルコード化キー（ＫＣ）を計算するために、ＩＤＥＡアルゴリズムが用いられることを特徴とする請求項１から５いずれか１項記載の方法。
【請求項８】  前記認証パラメータ（ＳＲＥＳ，ＳＲＥＳ’）及び／または前記チャネルコード化キー（ＫＣ）を計算するために、出力値の長さが入力パラメータ長より短い、圧縮アルゴリズムが用いられることを特徴とする請求項１から５いずれか１項記載の方法。
【請求項９】  前記計算が少なくとも２ステップのアルゴリズムで実施されることを特徴とする請求項１から８いずれか１項記載の方法。
【請求項１０】  初めに前記キー（Ｋi）の前記第１の部分（Ｋ１）を用いて暗号化され、次いで前記キー（Ｋi）の前記第２の部分（Ｋ２）を用いて解読され、前記解読結果が前記第１の部分（Ｋi）または前記キー（Ｋi）の第３の部分を用いて再び暗号化される、３重ＤＥＳアルゴリズムが暗号化アルゴリズムとして用いられることを特徴とする請求項１から９いずれか１項記載の方法。
【請求項１１】  前記乱数（ＲＡＮＤ）の前記第１または第２の部分の選択が、乱数的または擬似乱数的に交互する形で、前記カード及び前記ネットワークにおいて同じ方法で実施されることを特徴とする請求項１から１０いずれか１項記載の方法。
【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  通信システムを動作する方法であって：
（ａ）通信端末間で呼制御能力データを交換し、呼制御能力データが、各それぞれの端末について、複数の異なる呼制御プロトコルと異なるネットワークアドレスとを識別することと；
（ｂ）前記呼制御能力データにおいて識別される呼制御プロトコルまたはネットワークアドレスを使用して、前記通信端末間の呼を設定することとを含み、呼制御能力データを交換するステップが、呼の設定を開始する前に実行される方法。
【請求項２】  第１の端末が、第１の端末の呼制御能力データを第２の端末へ送ることによって呼制御能力データの交換を開始し、第２の端末が、要求に対するアクノリッジメントを戻し、アクノリッジメントが、第２の端末の呼制御能力データを含む請求項１記載の方法。
【請求項３】  通信端末において通信ポートを連続的に監視することと、要求が前記ポートにおいて受信されるたびに、呼制御能力データの交換を実行することとを含む請求項１または２記載の方法。
【請求項４】  呼が設定された後で、通信ポートの監視が続く請求項３記載の方法。
【請求項５】  前記呼制御能力データの一部として、呼制御能力交換プロトコルに直接に与えられていない別のデータ識別能力の源へのポインタを通信することを含む請求項１ないし４の何れか１項記載の方法。
【請求項６】  ポインタがユニフォームリソースロケータ（Uniform Resource Locator, URL）である請求項５記載の方法。
【請求項７】  第１の通信端末と第２の通信端末との間の呼を設定する方法であって：
（ａ）第１の端末において、第２の端末に関する呼制御能力データを受信し、呼制御能力データが、第２の端末について、複数の異なる呼制御プロトコルおよび異なるネットワークアドレスを識別することと；
（ｂ）第１の通信装置から受信した呼制御能力データにおいて特定されている異なる呼制御プロトコルおよびネットワークアドレスから選択されたものを使用して、第１の通信端末から第２の通信端末への呼を設定することとを含み、呼制御能力データを受信するステップが、呼の設定を開始する前に実行される方法。
【請求項８】  通信端末であって：
（ａ）呼制御能力データを他方の通信端末と交換する手段であって、呼制御能力データが、それぞれの端末について、複数の異なる呼制御プロトコルおよび異なるネットワークアドレスから選択された１つ以上のものを識別する手段と；
（ｂ）前記他方の通信端末から受信した呼制御能力データにおいて識別される呼制御プロトコルまたはネットワークアドレスタイプを使用して、前記通信端末と他方の通信端末との間の呼を設定する手段とを含み、端末が、呼の設定を開始する前に、呼制御能力データを交換するように動作することができる通信端末。
【請求項９】  複数の通信端末を含む通信ネットワークであって、複数の通信端末の中の異なるものが、異なるそれぞれの呼制御プロトコルを支援し、通信端末の各々が：
（ａ）呼制御能力データを他方の通信端末と交換する手段であって、呼制御能力データが、それぞれの端末について、複数の異なる呼制御プロトコルおよび異なるネットワークアドレスから選択された１つ以上のものを識別する手段と；
（ｂ）前記他方の通信端末から受信した呼制御能力データにおいて識別される呼制御プロトコルまたはネットワークアドレスタイプを使用して、前記通信端末と他方の通信端末との間の呼を設定する手段とを含み、端末の各々が、呼の設定を開始する前に、呼制御能力データを交換するように動作することができる通信ネットワーク。
【手続補正書】
【提出日】平成18年4月19日(2006.4.19)
【手続補正１】
【補正対象書類名】明細書
【補正対象項目名】請求項１
【補正方法】変更
【補正の内容】
【請求項１】
酸化珪素の層のエッチング方法であって、
酸化珪素の層の下にある導電または半導電層を備える半導体基板をプラズマ・エッチング反応装置内に導入するステップと、
前記導電または半導電層を露出するため、および酸化珪素の層を介して前記導電または半導電層まで延びる開口を提供するために酸化珪素の層をエッチングするステップとを有し、
前記エッチングが前記プラズマ・エッチング反応装置内でイオン化された状態にある無水素エッチング・ガスに酸化珪素の層を露出することによって実施され、前記エッチング・ガスが炭化フッ素、窒素および酸素反応物と、不活性キャリア・ガスとを有し、前記酸素および窒素がエッチング・ステップ中にポリマー・ビルドアップが開口内にエッチ・ストップを生じることを防止するのに有効な量で存在することを特徴とするエッチング方法。
【手続補正２】
【補正対象書類名】明細書
【補正対象項目名】請求項４
【補正方法】変更
【補正の内容】
【請求項４】
前記開口がボーイングされることなくエッチングされると共に、少なくとも６：１のアスペクト比を有する開口を提供することを特徴とする請求項１に記載のエッチング方法。
【手続補正書】
【提出日】平成18年3月15日(2006.3.15)
【手続補正１】
【補正対象書類名】明細書
【補正対象項目名】請求項１
【補正方法】変更
【補正の内容】
【請求項１】  デジタル表現に認証情報を付加する装置であって、
デジタル表現から意味情報を選択し、前記意味情報に基づいて認証情報を作成する認証装置と、
意味情報の意味が変更されず、アナログフォームに保存可能なように認証情報をデジタル表現に埋め込む埋込み装置とを備える装置。
【手続補正２】
【補正対象書類名】明細書
【補正対象項目名】請求項１１
【補正方法】変更
【補正の内容】
【請求項１１】  前記デジタル画像が、文書のアナログフォームを走査する走査装置によって作成され、
走査されたアナログフォームから作成されたコピーに認証情報を付加する、請求項１０に記載の装置。
【手続補正３】
【補正対象書類名】明細書
【補正対象項目名】請求項１８
【補正方法】変更
【補正の内容】
【請求項１８】  前記認証情報が、アナログフォームの助けなしで読み取った場合に認識できないフォームで埋め込まれる、請求項１７に記載の装置。
【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  少なくとも１つの一意のコードを電子システムのロック可能な補助メモリにプログラムするステップと、
前記少なくとも１つの一意のコードを少なくとも１つの構成要素コードと比較するステップと、さらに  前記電子システムの使用を、前記少なくとも１つの一意のコードと前記少なくとも１つの構成要素コードの間の事前定義された関係に基づいて制御するステップとを含む電子システムの使用を制御する方法。
【請求項２】  少なくとも１つの一意のコードをセルラ電話のロック可能な補助メモリにプログラムするステップと、
前記少なくとも１つの一意のコードを少なくとも１つの構成要素コードと比較するステップと、さらに  前記セルラ電話の使用を、前記少なくとも１つの一意のコードと前記少なくとも１つの構成要素コードの間の事前定義された関係に基づいて制御するステップとを含むセルラ電話の使用を制御する方法。
【請求項３】  少なくとも１つの一意のコードを含むロック可能な補助メモリを含み、さらに、
前記補助メモリに結合された不正防止回路を含み、前記不正防止回路は、少なくとも１つの構成要素コードを検索し、前記少なくとも１つの一意のコードを前記少なくとも１つの構成要素コードと比較するように構成され、前記不正防止回路は、前記少なくとも１つの一意のコードが前記少なくとも１つの構成要素コードとの事前定義された関係を満たしたときに、通話が行われるようにするセルラ電話の使用を制御する装置。
【請求項４】  バスに結合された中央処理装置および少なくとも１つの特定用途向け集積回路と、
前記バスに結合されたメイン・メモリおよび補助メモリとを含み、前記補助メモリは少なくとも１つの一意のコードを含み、前記補助メモリはメイン・メモリ・アレイ空間の外部に位置し、前記補助メモリは永久的にロック可能であり、さらに、
前記補助メモリに結合された不正防止回路を含み、前記不正防止回路は、少なくとも１つの構成要素コードを検索すること、および、前記少なくとも１つの一意のコードを前記少なくとも１つの構成要素コードと比較することによって、前記セルラ電話の使用を制御するように構成され、前記不正防止回路は、前記少なくとも１つの一意のコードが前記少なくとも１つの構成要素コードとの事前定義された関係を満たしたときに、通話が行われるようにするセルラ電話。
【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  送信ディジタル情報が、記録暗号化鍵（Ｅ（ＮＥ））によって暗号化され、かつ記録支持媒体上に記録手段によって記憶される伝送ディジタルデータを記録する方法であって、かつ前記記録暗号化鍵（Ｅ（ＮＥ））によって暗号化されたデータを解読する様に構成された等価鍵が記録トランスポート鍵（ＲＴ（Ａ））によって暗号化され、かつ前記暗号化情報とともに前記支持媒体上に記憶されることを特徴とする送信ディジタルデータを記録する方法。
【請求項２】 記録支持媒体上に記憶するために記録暗号化鍵（Ｅ（ＮＥ））による伝送ディジタル情報を暗号化するセキュリティモジュールを含み、かつ前記セキュリティモジュールが、さらに、前記支持媒体上に記憶するために記録トランスポート鍵（ＲＴ（Ａ））によって記録暗号化鍵（Ｅ（ＮＥ））を暗号化するように構成されていることを特徴とする請求項１に記載の方法で使用するのに適合されている記録手段。
【請求項３】  請求項２に記載された前記記録手段で使用するのに適合され、かつ次の記録のために伝送ディジタル情報の暗号化のための記録暗号化鍵（Ｅ（ＮＥ））および次の記録の為に前記記録暗号化鍵の暗号化のための記録トランスポート鍵（ＲＴ（Ａ））とを含むことを特徴とするポータブルセキュリティモジュール。
【請求項４】  デコーダ手段、関連セキュリティモジュール（３０）、記録手段および関連セキュリティモジュール（５２）を使用し、かつ前記記録トランスポート鍵（ＲＴ（Ａ））のコピーが、前記デコーダ手段に関連した前記セキュリティモジュール（３０）および／または前記記録手段に関連した前記セキュリティモジュール（５２）に記憶される様に構成されている請求項１に記載された方法に使用できる様に構成されたデコーダ手段であって、当該デコーダ手段は、記録トランスポート鍵（ＲＴ（Ａ））のコピーを記録する様に構成されたセキュリティモジュールを含んでいる事を特徴とするデコーダ手段。
【請求項５】  請求項４に記載されたデコーダ手段に於いて使用できる様に構成されたポータブルセキュリティモジュールであって、当該デコーダ手段は、少なくとも記録トランスポート鍵（ＲＴ（Ａ））のコピーを含んでいる事を特徴とするポータブルセキュリティモジュール。
【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】  第１の電圧入力；
第２の電圧入力；
前記第１の電圧入力に接続され、前記第１の電圧入力に印加された電圧が第１の所定値を越えるか否かを検出するための第１の検出回路；および、
前記第１の検出回路に接続され、前記電圧が前記第１の所定値を越えていることを前記第１の検出回路が検出すると、それに応答して前記第１の電圧入力を介してプログラミングおよび消去オペレーションに充分な電流を受け取ることができるよう前記プログラマブル・ロジック・デバイスのコンフィグレーションを行う第１のコンフィグレーション回路；
前記第１の電圧入力に接続され、前記第１の電圧入力に印加された電圧が第２の所定値を下回るか否かを検出するための第２の検出回路；および、
前記第１ならびに第２の検出回路および前記第２の電圧入力に接続された第２のコンフィグレーション回路とから構成され、
前記第１のコンフィグレーション回路は前記第１の電圧入力が前記第１の所定値を越えていないことを検出する前記第１の検出回路に応答して、プログラミングおよび消去オペレーションのために前記第１の電圧入力を介して十分な電流が得られないプログラマブル・ロジック・デバイスを形成し、また前記第２のコンフィグレーション回路は前記第１の電圧入力が前記第２の所定値を下回っていることを検出する前記第２の検出回路に応答して、プログラミングおよび消去オペレーションのために前記第２の電圧入力を介して十分な電流を受け取らないように前記プログラマブル・ロジック・デバイスを形成することを特徴とするプログラマブル・ロジック・デバイス。
【請求項２】  電圧を受け取る第１の手段；
前記電圧が第１の所定値を越えているか否かを検出するための手段；
前記電圧が第２の所定値より小さいか否かを検出するための手段；
前記電圧が前記第１の所定値を越えていることを前記手段が検出すると、それに応答して、前記電圧を受け取る第１の手段を介して、プログラミングおよび消去オペレーションに充分な電流を受け取ることができるよう前記プログラマブル・ロジック・デバイスのコンフィグレーションを行うための手段；
第２の所定値を下回るか否かを検出するための前記手段が前記電圧が前記第２の所定値を下回っていることを検出すると、それに応答して、プログラミングおよび消去オペレーションを妨げる手段を含むことを特徴とするプログラマブル・ロジック・デバイス。
【請求項３】  プログラマブル・ロジック・デバイスの第１および第２の電圧入力を自動的に形成するための方法であって、
上記第１の電圧入力に供給された電圧が第１の所定の値を越えたか否かを検出するステップと；
上記第１の電圧入力に供給された電圧が第２の所定の値に達しないか否かを検出するステップと；
もし、上記電圧が第１の所定の値を越えたときにプロブラミングと消去オペレーションのための十分な電流を上記第１の電圧入力に与えるステップと；
前記第１の電圧入力に供給された電圧が第２の所定の値に達してない場合、プログラマブル・ロジック・デバイスがプログラミングおよび消去オペレーションを行わないようにするステップとから構成された方法。
【請求項４】  第１の電圧入力、
第２の電圧入力、
前記第１の電圧入力に接続された検出回路であって、前記第１の電圧入力に印加された電圧が第１の所定値を越えるか否かを検出するための第１の検出回路、
前記第１の検出回路に接続され、前記電圧が前記第１の所定値を越えていることを検出する第１の検出回路に応答して前記第１の電圧入力を介してプログラミングおよび消去オペレーションに充分な電流を受け取ることができるよう前記プログラマブル・ロジック・デバイスを形成する第１のコンフィグレーション回路、
第１の電圧入力に接続し第１の電圧入力に供給された電圧が第２の所定値より少ないか否かを検出する第２の検出器、
前記第１と第２の検出器および第２電圧入力に接続した第２のコンフィグレーション回路とから構成されるプログラマブル・ロジック・デバイスと；
前記第２の電圧入力に接続した電源と；
前記第１の電圧入力に接続し、書き込み保護信号を供給するロジック装置とを具備し、
前記第１のコンフィグレーション回路は前記第１の電圧入力が前記第１の所定値を越えていないことを検出する前記第１の検出回路に応答して、プログラミングおよび消去オペレーションのために前記第１の電圧入力を介して十分な電流が得られないプログラマブル・ロジック・デバイスを形成し、また前記第２のコンフィグレーション回路は前記第１の電圧入力が前記第２の所定値を下回っていることを検出する前記第２の検出回路に応答して、プログラミングおよび消去オペレーションのために前記第２の電圧入力を介して十分な電流を受け取らないように前記プログラマブル・ロジック・デバイスを形成することを特徴とするプログラマブル・ロジック・デバイス。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】下記式I：
【化１】
2002514598.tif 000001
で示される化合物であって、
式中、ｎ、ｍ、ｑ及びｒは、それぞれ独立に０〜４の整数であり；ｐ及びｓは、それぞれ独立に０〜５の整数であり；ａ及びｂでラベルされた結合はそれぞれ独立に単結合または二重結合であり；
Ｒ、Ｒ'及びＲ''は、それぞれ独立にＨ、Ｃ1〜Ｃ20直鎖又は分岐アルキル、Ｃ2〜Ｃ20直鎖又は分岐アルケニル、−ＣＯ2Ｈ、−ＣＯ2Ｒ'''、−ＮＨ2、−ＮＨＲ'''、−ＮＲ2'''、−ＯＨ、−ＯＲ'''、ハロ、置換Ｃ1〜Ｃ20直鎖又は分岐アルキル又は置換Ｃ2〜Ｃ20直鎖又は分岐アルケニルであり、Ｒ'''は、Ｃ1〜Ｃ20直鎖又は分岐アルキル又はＣ2〜Ｃ20直鎖又は分岐アルケニルであり；
Ａ、Ａ'及びＡ''は、それぞれ独立にＨ、Ｃ1〜Ｃ20アシルアミノ；
Ｃ1〜Ｃ20アシルオキシ；Ｃ1〜Ｃ20アルカノイル；
Ｃ1〜Ｃ20アルコキシカルボニル；Ｃ1〜Ｃ20アルコキシ；
Ｃ1〜Ｃ20アルキルアミノ；Ｃ1〜Ｃ20アルキルカルボキシルアミノ；カルボキシル；シアノ；ハロ；ヒドロキシ；
Ｂ、Ｂ'及びＢ''は、それぞれ独立にＣ2〜Ｃ20アルケノイル、アロイル、またはアラルカノイル；
Ｘ、Ｘ'は、それぞれ独立に−ＮＨ、−ＮＲ'''、Ｏ又はＳである化合物。
【請求項２】Ｘがイオウであり、Ｘ1が−ＮＨ−であり；Ａn''、Ｂ''、Ｂ'、Ａp、Ａq、Ｒ及びＲ''がすべて水素である、請求項１に記載の化合物。
【請求項３】Ｂがメトキシ、ｓ＝２かつＲ'がカルボメトキシである、請求項２に記載の化合物。
【請求項４】ａでラベルされた結合が単結合である、請求項３に記載の化合物。
【請求項５】ｂでラベルされた結合が二重結合である、請求項３に記載の化合物。
【請求項６】５−(４−(４−(１−カルボメトキシ−２−(３，５−ジメトキシフェニル)エテニル)−フェノキシ)−ベンジル)−２，４−チアゾリジンジオンである、請求項３に記載の化合物。
【請求項７】生理学的に許容される担体中に、治療に有効な量の請求項１〜５のいずれか一項に記載の化合物を含む糖尿病治療のための薬剤組成物。
【請求項８】生理学的に許容される担体中に、治療に有効な量の請求項６に記載の化合物を含む糖尿病治療のための薬剤組成物。
【請求項９】治療に有効な量の請求項１〜５のいずれか一項に記載の化合物の、糖尿病治療用薬剤組成物の製造における使用。
【請求項１０】治療に有効な量の請求項６に記載の化合物の、糖尿病治療用薬剤組成物の製造における使用。
【請求項１１】下記式I：
2002514598.tif 000002
で示される化合物であって、
式中、ｎ、ｍ、ｑ及びｒは、それぞれ独立に０〜４の整数であり；ｐ及びｓは、それぞれ独立に０〜５の整数であり；ａ及びｃでラベルされた結合はそれぞれ独立に単結合または二重結合であり；
Ｒ及びＲ''は、それぞれ独立にＨ、Ｃ1〜Ｃ20直鎖又は分岐アルキル、Ｃ2〜Ｃ20直鎖又は分岐アルケニル、−ＣＯ2Ｈ、−ＣＯ2Ｒ'''、−ＮＨ2、−ＮＨＲ'''、−ＮＲ2'''、−ＯＨ、−ＯＲ'''、ハロ、置換Ｃ1〜Ｃ20直鎖又は分岐アルキル又は置換Ｃ2〜Ｃ20直鎖又は分岐アルケニルであり、
Ｒ'は、それぞれ独立にＨ、Ｃ1〜Ｃ20直鎖又は分岐アルキル、Ｃ2〜Ｃ20直鎖又は分岐アルケニル、−ＣＯ2Ｈ、−ＣＯ2Ｒ'''、−ＮＨ2、−ＮＨＲ'''、−ＮＲ2'''、−ＯＨ、−ＯＲ'''、ハロ、置換Ｃ1〜Ｃ20直鎖又は分岐アルキル又は置換Ｃ2〜Ｃ20直鎖又は分岐アルケニルであり、
Ｒ'''は、Ｃ1〜Ｃ20直鎖又は分岐アルキル又は直鎖又は分岐アルケニルであり；
Ａ、Ａ'及びＡ''は、それぞれ独立にＨ、Ｃ1〜Ｃ20アシルアミノ；
Ｃ1〜Ｃ20アシルオキシ；Ｃ1〜Ｃ20アルカノイル；
Ｃ1〜Ｃ20アルコキシカルボニル；Ｃ1〜Ｃ20アルコキシ；
Ｃ1〜Ｃ20アルキルアミノ；Ｃ1〜Ｃ20アルキルカルボキシルアミノ；カルボキシル；シアノ；ハロ；ヒドロキシ；
Ｂ、Ｂ'及びＢ''は、それぞれ独立にＣ1〜Ｃ20アルケノイル；アロイル；アラルカノイル；
Ｘ、Ｘ'は、それぞれ独立に−ＮＨ、−ＮＲ'''、Ｏ又はＳである化合物。
【請求項１２】Ｘがイオウであり、Ｘ1が−ＮＨ−であり；Ａ''、Ｂ''、Ａ'q、Ｂ'、Ａp、Ｒ及びＲ''がすべて水素である、請求項１１に記載の組成物。
【請求項１３】Ｂがメトキシ、ｓ＝２かつＲ'がカルボメトキシである、請求項１２に記載の化合物。
【請求項１４】ａでラベルされた結合が単結合である、請求項１３に記載の化合物。
【請求項１５】ｃでラベルされた結合が二重結合である、請求項１３に記載の化合物。
【請求項１６】生理学的に許容される担体中に、治療に有効な量の請求項１１〜１５のいずれか一項に記載の化合物を含んでなる糖尿病治療のための薬剤組成物。
【請求項１７】治療に有効な量の請求項１１〜１５のいずれか一項に記載の化合物の、糖尿病治療用薬剤組成物の製造における使用。
【手続補正２】
【補正対象書類名】明細書
【補正対象項目名】００２２
【補正方法】変更
【補正の内容】
【００２２】
図を参照して説明すると、図１Ａに示されるように、本発明の化合物、５−(４−(４−(１−カルボメトキシ−２−(３，５−ジメトキシフェニル)−エテニル)−フェノキシ)−ベンジル)−２，４−チアゾリジンジオン(VIII)を、db/dbメスマウスに１５日間１回の経口量(５０mg/kg体重)で投与した。血糖レベルのかなりの低下が観察された。活性成分のないビヒクルで処理した対照に比べて治療グループの体重増加はなかった。
【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】  第１の基板表面および第２の基板表面を有する基板上に、本質的に均一な溶液の被覆を塗布するための方法であって、
基板に、圧縮剛さ（Ｋ）を有する圧縮性の層を含む基板支持体を提供する工程と、
基板および基板支持体を含み、第２の基板表面が基板支持体に隣接している基板複合体を形成する工程と、
全長（Ｌrod）、全ロッド重量値（Ｗrod）、およびそり測定値（Ｂ）を有するマイヤーロッドと基板移送表面との間にニップ領域を形成する工程と、
マイヤーロッド上に、本質的に均一な力を加える工程と、
ニップ領域で、第１の基板表面の少なくとも一部分の上に被覆溶液を提供する工程と、
ニップ領域内に基板複合体を送り、それによってマイヤーロッドで第１の基板表面の本質的に全体にわたって被覆溶液を計量しながら供給し、それによって幅値（Ｌ）を有する溶液の被覆層を形成する工程と、
乾燥領域内で、溶液の被覆層を乾燥させ、感光性要素を形成する工程と
を含むことを特徴とする方法。
【請求項２】  請求項１に記載の方法において有用な、本質的に均一な溶液の被覆を基板上に塗布するための装置であって、
マイヤーロッドと基板移送表面との間のニップ領域に圧縮剛さ（Ｋ）を有する圧縮性の層を有する、前記基板用の基板支持体と、
全長（Ｌrod）、全ロッド重量値（Ｗrod）、およびそり測定値（Ｂ）を有する、前記基板上のニップ領域で供給される溶液を計量しながら調節するためのマイヤーロッドと、
全重量値（Ｗbar）を有する、マイヤーロッド上に本質的に均一な力を加えるためのおもりと、
前記基板上に幅値（Ｌ）を有する溶液の層を被覆するために、前記ニップ内に前記基板を移送するための基板移送表面と、
前記溶液の層を乾燥させるための乾燥領域と、
を含み、式（１）
【数１】
2002514506.tif 000001
により定義されたＣＣＮが、約１．４よりも大きいことを特徴とする装置。
【手続補正２】
【補正対象書類名】明細書
【補正対象項目名】００６４
【補正方法】変更
【補正の内容】
【００６４】
当然ながら、上述の好ましい実施形態に、広範囲にわたる変更を加えかつ変形させることができることが理解されるべきである。したがって、前述の詳細な記述はそれに限定するものではなく例示とみなされ、本発明の範囲を定義することが意図されるのは全ての均等物を含む上記の請求項であることが理解される、ということが意図される。
以下に、本発明の好ましい態様を示す。
１．  第１の基板表面および第２の基板表面を有する基板上に、本質的に均一な溶液の被覆を塗布するための方法であって、
基板に、圧縮剛さ（Ｋ）を有する圧縮性の層を含む基板支持体を提供する工程と、
基板および基板支持体を含み、第２の基板表面が基板支持体に隣接している基板複合体を形成する工程と、
全長（Ｌrod）、全ロッド重量値（Ｗrod）、およびそり測定値（Ｂ）を有するマイヤーロッドと基板移送表面との間にニップ領域を形成する工程と、
マイヤーロッド上に、本質的に均一な力を加える工程と、
ニップ領域で、第１の基板表面の少なくとも一部分の上に被覆溶液を提供する工程と、
ニップ領域内に基板複合体を送り、それによってマイヤーロッドで第１の基板表面の本質的に全体にわたって被覆溶液を計量しながら供給し、それによって幅値（Ｌ）を有する溶液の被覆層を形成する工程と、
乾燥領域内で、溶液の被覆層を乾燥させ、感光性要素を形成する工程と
を含むことを特徴とする方法。
２．  前記基板支持体が、約０．７ｋｇ／ｃｍ撓み／ｃｍ長さから約１１．６ｋｇ／ｃｍ撓み／ｃｍ長さの間の圧縮剛さを有することを特徴とする１．に記載の方法。
３．  前記本質的に均一な力は、前記マイヤーロッドの上部に配置されたおもりを使用して加えられることを特徴とする１．に記載の方法。
４．  前記本質的に均一な力は、磁気力を含むことを特徴とする１．または３に記載の方法。
５．  前記本質的に均一な力は、機械式ばね、電気機械的部品、または空気式部品を使用して加えられることを特徴とする１．、３、または４に記載の方法。
６．  前記本質的に均一な力は、前記マイヤーロッドおよび圧縮性の層の重量が、式（１）
【数２】
2002514506.tif 000002
で定義されるＣＣＮであって約１．４よりも大きいＣＣＮを満たすように、全重量値（Ｗbar）を有するおもりを使用して加えられることを特徴とする１．に記載の方法。
７．  前記ＣＣＮが約２．９よりも大きいことを特徴とする６．に記載の方法。
８．  １．に記載の方法において有用な、本質的に均一な溶液の被覆を基板上に塗布するための装置であって、
マイヤーロッドと基板移送表面との間のニップ領域に圧縮剛さ（Ｋ）を有する圧縮性の層を有する、前記基板用の基板支持体と、
全長（Ｌrod）、全ロッド重量値（Ｗrod）、およびそり測定値（Ｂ）を有する、前記基板上のニップ領域で供給される溶液を計量しながら調節するためのマイヤーロッドと、
全重量値（Ｗbar）を有する、マイヤーロッド上に本質的に均一な力を加えるためのおもりと、
前記基板上に幅値（Ｌ）を有する溶液の層を被覆するために、前記ニップ内に前記基板を移送するための基板移送表面と、
前記溶液の層を乾燥させるための乾燥領域と、
を含み、式（１）
【数３】
2002514506.tif 000003
により定義されたＣＣＮが、約１．４よりも大きいことを特徴とする装置。
９．  前記マイヤーロッドが回転しないことを特徴とする８．に記載の装置。
１０．  前記基板支持体が、連続気泡フォームの圧縮性の層を含むことを特徴とする８．に記載の装置。
【手続補正３】
【補正対象書類名】図面
【補正対象項目名】全図
【補正方法】追加
【補正の内容】
【図１】
2002514506.tif 000004
【図２】
2002514506.tif 000005
【図３】
2002514506.tif 000006
【図４】
2002514506.tif 000007
【図５】
2002514506.tif 000008
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】 
【請求項１】  溶融金属で充填される鋳型空洞を有するガス浸透性のセラミックのインベストメント鋳型を鋳造チャンバに配置すること、前記鋳型の溶融金属入口を通って鋳型に溶融金属を導入すること、溶融金属が鋳型に導入されたあと、溶融金属入口に圧力キャップを係合すること、鋳造チャンバは、相対真空の下で、または鋳型に局所的に現れる圧力とは異なる圧力で維持されながら、熱い鋳型に存する溶融金属への圧力キャップを経てガス圧を導入し、前記溶融金属に局在的ガス圧を供給し、鋳型空洞への溶融金属の充填を促進することからなる密封可能な圧力キャップを使用したインベストメント鋳造法。
【請求項２】  圧力キャップが、鋳造チャンバに枢着され、圧力キャップの密閉ガスケットに鋳型溶融金属入口とが密封係合されることを特徴とする請求項１に記載の密封可能な圧力キャップを使用したインベストメント鋳造法。
【請求項３】  ガスケットは環状の鋳型注入口へ密封して押し付けられることを特徴とする請求項２に記載の密封可能な圧力キャップを使用したインベストメント鋳造法。
【請求項４】  不活性ガスを圧力キャップの通路を通って鋳型に導入し、前記ガス圧を鋳型に局所的に供給することを特徴とする請求項１に記載の密封可能な圧力キャップを使用したインベストメント鋳造法。
【請求項５】  溶融金属入口から圧力キャップをはずし、鋳造チャンバから鋳型を取りはずすことを許す追加ステップを含むことを特徴とする請求項１に記載の密封可能な圧力キャップを使用したインベストメント鋳造法。
【請求項６】  鋳造チャンバに置かれる鋳型空洞を有するガス浸透性のセラミックのインベストメント鋳型と、前記鋳型の溶融金属入口を通って鋳型に溶融金属を導入する手段と、溶融金属が鋳型に導入された後で溶融金属入口に密封係合可能な圧力キャップと、鋳造チャンバは、相対真空の下で、または鋳型に局所的に現れる圧力とは異なる圧力で維持されながら、鋳型に存する溶融金属への圧力キャップを経てガス圧を導入し、局在的ガス圧を前記溶融金属へ供給し、鋳型空洞への溶融金属の充填を改良する手段とからなる溶融物を鋳造するインベストメント鋳造装置。
【請求項７】  鋳造チャンバに位置し、圧力キャップが配置されるピボット式機構であって、圧力キャップの密閉ガスケットを鋳型溶融金属入口に密封係合する鋳造チャンバで枢支するための前記ピボット式機構を含む請求項６の溶融物を鋳造するインベストメント鋳造装置。
【請求項８】  ピボット式機構が密閉ガスケットを環状の鋳型注入カップ唇の上に密封して押し付けることを特徴とする請求項７に記載の溶融物を鋳造するインベストメント鋳造装置。
【請求項９】  前記ガス導入手段は、不活性ガスを鋳型に導入し前記ガス加圧を局所的に供給するための圧力キャップの導管へ連通する不活性ガスの供給源を含むことを特徴とする請求項６に記載の溶融物を鋳造するインベストメント鋳造装置。
【請求項１０】  鋳造チャンバの鋳型を鋳型注入カップから吊り下げる鋳型保持手段は、少なくとも部分的には注入カップの外部の周りに配置される支持つばを含む請求項６の溶融物を鋳造するインベストメント鋳造装置。
【誤訳訂正書】
【提出日】平成18年8月4日(2006.8.4)
【誤訳訂正１】
【訂正対象書類名】明細書
【訂正対象項目名】０００１
【訂正方法】変更
【訂正の内容】
【０００１】
本発明は、一般に、腎不全に罹患しているために腎臓透析を受けている患者の栄養要求を解決するために処方された、経腸摂取用の栄養的に完全な液体補助食品（「製品」という）に関する。本製品は、腎組織の急性または慢性炎症に罹患している患者、特に、尿産生を担う毛細血管叢である糸球体の機能障害を有する患者用に処方される。
【誤訳訂正２】
【訂正対象書類名】明細書
【訂正対象項目名】００１２
【訂正方法】変更
【訂正の内容】
【００１２】
好ましくは、本発明の栄養製品は、以下の１つまたは複数の基準を満たす：わずかに酸性か、中性のｐＨ（好ましくは約６〜約８、好ましくは６．５〜７．５の範囲）を有する、１０００ｍＯｓｍ／ｋｇ水未満（好ましくは約５００〜９００ｍＯｓｍ／ｋｇ水）の浸透圧重量モル濃度を有する、および／または１００ｃｐ未満（好ましくは３０〜７０ｃｐ）の粘度を有する。さらに、本発明の栄養製品は、乳糖およびスクロースを含まないことが好ましい。さらに、乳糖およびスクロースを含まないことに加えて、本発明の製品は、フルクトースを含有しないか、全カロリーの１．５％未満含むことが好ましい。
【誤訳訂正３】
【訂正対象書類名】明細書
【訂正対象項目名】００５０
【訂正方法】変更
【訂正の内容】
【００５０】
【表４】
2002514575.tif 000001
【誤訳訂正４】
【訂正対象書類名】明細書
【訂正対象項目名】００５８
【訂正方法】変更
【訂正の内容】
【００５８】
【表８】
2002514575.tif 000002
【誤訳訂正５】
【訂正対象書類名】明細書
【訂正対象項目名】００５９
【訂正方法】変更
【訂正の内容】
【００５９】
上記の実施例では、浸透圧重量モル濃度に悪影響を及ぼすにもかかわらず、微量のフルクトースを香料として使用している。マルトデキストリンの代用は過剰な浸透圧重量モル濃度を軽減するであろう。ある程度のスクロースまたは乳糖の添加による浸透圧重量モル濃度への悪影響は許容範囲であり、いずれかを少量使用することができるが、上記実施例において使用されるフルクトースより少量を使用することができる。
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】  担体中に溶解および／または分散しておりそこから放出される生物活性剤を含有する生物活性組成物において、担体は液体および／または固体の非結晶性マトリックスであり、その中に生物活性剤が過飽和状態で存在し、その状態は、１種または２種以上の担体出発物質を、上記液体および／または固体の非結晶性担体マトリックスが担体出発物質中におけるよりも高い飽和度の上記生物活性剤を提供するような化学操作に付すことによって得られ、そして生物活性剤はこの化学操作の完了前に添加されることを特徴とする生物活性組成物。
【請求項２】  高い飽和度は、マトリックス中における生物活性剤の溶解度が担体出発物質中におけるその溶解度よりも低くなるような化学操作の結果である請求項１記載の組成物。
【請求項３】  高い飽和度は、生物活性剤の解離度、凝集および／またはプロトン化の程度が担体出発物質中における活性剤の解離度、凝集および／またはプロトン化の程度とは異なるような化学操作の結果である請求項１または２に記載の組成物。
【請求項４】  生物活性剤は化学操作が開始される前に添加される請求項１〜３のいずれかに記載の組成物。
【請求項５】  生物活性剤は、化学操作が開始されたのちの予め決定された時点で添加され、得られた組成物はさらに上記化学操作に付される請求項１〜３のいずれかに記載の組成物。
【請求項６】  担体出発物質または２種もしくはそれ以上の異なる担体出発物質の混合物は、モノマー、モノ酸、ジ酸、トリ酸またはより高級な酸のような酸、モノオール、ジオールまたはトリオールを包含するアルコール、ケトン、アルデヒド、アミン、アミド、無水物、ラクチド、グリコリド、糖およびそれらの誘導体、アクリル酸またはアクリルアミド型の化合物たとえばメタクリル酸メチル、ＰＥＯ-ジアクリレートのモノマー、シアノアクリレート、アクリレートデンプンを包含するアクリレート糖、アクリレートラクテート、アクリレートグリコレート、イソシアネート、エチレンオキシド、プロピレンオキシド、ピロリドン、ＰＥＯ-ジアクリレート、エチレン-ビニルアセテート、有機シロキサンのモノマー、ならびにオリゴマー、ポリマーまたはそれらのプレポリマーから選択される請求項１〜５のいずれかに記載の組成物。
【請求項７】  酸はモノマーの酸であり、アルコールはモノマーのアルコールであり、非結晶性マトリックスはそれらのエステルおよび／またはポリエステルからなる請求項６記載の組成物。
【請求項８】  モノマーの酸はクエン酸である請求項７記載の組成物。
【請求項９】  モノマーのアルコールは、プロピレングリコールである請求項７または８に記載の組成物。
【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】  生物活性組成物であって、それから放出される生物活性剤からなり、生物活性剤はそれに対する担体中に溶解および／または分散され、担体は液体および／または固体の非結晶性エステルおよび／またはポリエステルマトリックスからなり、上記生物活性剤はその中に過飽和状態で存在する組成物。
【請求項２】  過飽和状態は１種または２種以上の担体出発物質を、非結晶性エステルおよび／またはポリエステルマトリックスが形成されるような化学反応に付し、この化学反応が完了したのちに生物活性剤を添加することにより得られる請求項１記載の組成物。
【請求項３】  化学反応は１または２以上のエステル化反応からなる請求項２記載の組成物。
【請求項４】  担体出発物質または２種もしくはそれ以上の異なる担体出発物質の混合物は、ジ酸、トリ酸およびより高級な酸のような酸、ジオール、トリオールおよびより高級なアルコールを包含するアルコール、糖およびそれらの誘導体、アクリレートデンプンを含むアクリレート糖、ならびにオリゴマー、ポリマーまたはそれらのプレポリマーから選択される請求項１〜３のいずれかに記載の組成物。
【請求項５】  酸はモノマーの酸であり、アルコールはモノマーのアルコールである請求項４記載の組成物。
【請求項６】  モノマーの酸はクエン酸である請求項５記載の組成物。
【請求項７】  モノマーのアルコールはプロピレングリコールである請求項５または６記載の組成物。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  エラストマーの泡立った押出品であって、 長いバレル押出し機であって、供給区域、前記押出し機のダイ付近の排出区域及び複数の中間区域を含めて複数の温度区域を含む押出し機中で、エラストマーと化学発泡剤との混合物を押出し、ここで、前記エラストマーは、ポリオレフィンとゴム共重合体との加硫されたブレンドを含み、ここで、前記ポリオレフィンは、炭素原子が２〜４のα−オレフィンに由来する繰返し単位を含み、そして、前記エラストマーは、前記ゴム共重合体と比べて同重量以下の前記ポリオレフィンを含み、そして、前記化学発泡剤は、エラストマーの約１〜１０重量％の量で存在する；
前記バレル内で選択された温度プロファイルを維持し、ここで、前記供給区域での温度は、前記中間及び排出区域での温度以上である；及び６０°〜１２０°の範囲内の円錐角度を有し且つ前記バレルの直径の０．２５〜１．５倍の範囲で縦に延びている狭くされた漏斗部分から延びている、３：１〜１：３の範囲内の長さＬ′／直径Ｄ′比を有する側方部分を有する段状の領域を通って、前記ダイから前記押出品を排出し、ここで、前記漏斗部分の長さは、前記上流側の面から前記側方領域部分の上流側の末端までが測定されている；そして 前記エラストマーによって自動的に作られ且つ前記気泡と一体的に形成された、密な非多孔質の平滑に連続する表皮で覆われた本質的に独立した気泡のコアを有する前記押出品を作る、ここで、前記表皮は、０．０１ｍｍ〜１ｍｍの範囲内の厚さを有することによって形成された、泡立った押出品。
【請求項２】  前記ゴムのポリオレフィンに対する比率が６５：３５〜８５：１５の範囲内であり、且つ、前記押出品が３０％〜５５％の範囲内の圧縮永久歪を有する、請求項１の泡立った押出品。
【請求項３】  前記温度プロファイルが、前記供給区域の温度が前記排出区域の温度よりも高いという逆温度プロファイルである、請求項２の泡立った押出品。
【請求項４】  前記発泡剤が前記供給区域で活性化され、且つ、前記押出品の選択された縦の表面が、０．０１ｍｍ〜１ｍｍの範囲内の厚さを有する薄いフィルムとして、その上に置かれた前記圧縮永久歪に実質的に影響を与えることのない低摩擦合成樹脂のスリップ塗料を有する、請求項３の泡立った押出品。
【請求項５】  エラストマーの泡立った押出品を製造するための方法であって、供給区域、排出区域及び複数の中間区域を含む、複数の温度区域を含む長いバレル押出し機において、発泡剤と、ポリオレフィンとゴム共重合体の加硫したブレンドとの混合物を押出すことを含み、ここにおいて、前記ポリオレフィンは、炭素原子が２〜４のα−オレフィンに由来する繰返し単位を含む、エラストマーの泡立った押出品を製造するための方法において、以下の工程を含むことを特徴とする：
１〜１０重量％の化学発泡剤を、前記ゴム共重合体と比べて同重量以下の前記ポリオレフィンを含む前記エラストマーと混合し；
前記バレル内の温度プロファイルを維持し、ここで、前記供給区域内の温度は、前記中間及び排出区域内の温度以上であり；そして６０°〜１２０°の範囲内の円錐角度を有し且つ前記バレルの直径の０．２５〜１．５倍の範囲で縦に延びている狭くされた漏斗部分から延びている、３：１〜１：３の範囲内の長さＬ′／直径Ｄ′比を有する側方領域部分を有する段状の領域を通って、前記押出品を前記ダイから排出し、ここで、前記漏斗部分の長さは、前記上流側の面から前記側方領域部分の上流側の末端までが測定されている；そして 前記エラストマーによって自動的に作られ且つ前記気泡と一体的に形成された、密な非多孔質の平滑に連続する表皮で覆われた本質的に独立した気泡のコアを有する前記押出品を作る、ここで、前記表皮は、０．０１ｍｍ〜１ｍｍの範囲内の厚さを有する、ことを含む、方法。
【請求項６】  前記ゴムのポリオレフィンに対する比率が６５：３５〜８５：１５の範囲内である、請求項５の方法。
【請求項７】  前記温度プロファイルが、前記供給区域の温度が前記排出区域の温度よりも高いという逆温度プロファイルである、請求項６の方法。
【請求項８】  前記発泡剤が前記供給区域で活性化される、請求項６の方法。
【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  レール・ラインとドレン・ラインを有し、単一の内燃機関燃焼室に適合された弁アセンブリであって、
内燃機関燃焼室に結合されるように適合された第１の排気弁と、
内燃機関燃焼室に結合されるように適合された第２の排気弁と、
前記第１および第２の排気弁をレール・ラインとドレン・ラインで制御し結合されるように作動可能な第１の制御弁と、
前記第１および第２の排気弁を制御するように作動可能な第２の制御弁とを備えた弁アセンブリ。
【請求項２】  単一の内燃機関燃焼室に適合された弁モジュールであって、
内燃機関燃焼室に結合されるように適合された第１の吸気弁と、
内燃機関燃焼室に結合されるように適合された第２の吸気弁と、
前記第１および第２の吸気弁を制御するように作動可能な第１の吸入制御弁と、
内燃機関燃焼室に結合されるように適合された第３の吸気弁と、
前記第３の吸気弁を制御するように作動可能な第２の吸入制御弁と、
内燃機関燃焼室に結合されるように適合された第１の排気弁と、
内燃機関燃焼室に結合されるように適合された第２の排気弁と、
前記第１および第２の排気弁を制御するように作動可能な第１の排気制御弁と、
前記第１および第２の排気弁を制御するように作動可能な第２の排気制御弁とを備える弁モジュール。
【請求項３】  レール・ラインとドレン・ラインを有し、単一の内燃機関燃焼室に適合された弁アセンブリであって、
内燃機関燃焼室に結合されるように適合された第１の吸気弁と、
前記第１の吸気弁をレール・ラインとドレン・ラインで制御し結合されるように作動可能な第１の制御弁と、
内燃機関燃焼室に結合されるように適合された第２の吸気弁と、
前記第２の吸気弁を制御するように作動可能な第２の制御弁と、
前記第１および第２の制御弁に接続された第３の制御弁とを備える弁アセンブリ。
【請求項４】  レール・ラインとドレン・ラインを有し、単一の内燃機関燃焼室に適合された弁アセンブリであって、
内燃機関燃焼室に結合されるように適合された第１の吸気弁と、
前記第１の吸気弁をレール・ラインとドレン・ラインで制御し結合されるように作動可能な第１の制御弁と、
内燃機関燃焼室に結合されるように適合された第２の吸気弁と、
前記第２の吸気弁を制御するように作動可能な第２の制御弁と、
内燃機関燃焼室に結合されるように適合され、前記第１の制御弁よって制御可能な第３の吸気弁とを備え、
前記第１および第２の吸気弁がそれぞれ第３のピンによって駆動可能である弁アセンブリ。
【請求項５】  レール・ラインとドレン・ラインを有し、単一の内燃機関燃焼室に適合された弁アセンブリであって、
この弁アセンブリは単一の内燃機関燃焼室に適合する分離したモジュール・ハウジングを有し、
このモジュール・ハウジングは、内燃機関燃焼室に結合されるように適合された第１の吸気弁と、
上記レール・ラインとドレン・ラインと共に前記第１の吸気弁を制御し且つ結合するようにプロセッサ制御された作動可能な第１の制御弁と、
内燃機関燃焼室に結合されるように適合された第２の吸気弁と、
上記レール・ラインとドレン・ラインと共に前記第２の吸気弁を制御し且つ結合するようにプロセッサ制御された作動可能な第２の制御弁とから構成した弁アセンブリ。
【請求項６】  プロセッサと、
流体レール・ラインと、
流体ドレン・ラインと、
上記プロセッサと流体レール・ラインと流体ドレン・ラインとに結合した複数の弁アセンブリとを具備したマルチシリンダ・エンジンいおいて；
上記マルチシリンダ・エンジンの各単一シリンダと結合する複数の弁アセンブリ群の各弁アセンブリは、マルチシリンダ・エンジンの単一シリンダと結合するように構成した分離したモジュール・ハウジングを有し、
上記モジュール・ハウジングは第１の弁とこの第１の弁を制御し且つ上記流体レール・ライン又は流体ドレン・ラインに結合させるように動作する第１のプロセッサ制御される制御弁と、第２の弁とこの第２の弁を制御し且つ上記流体レール・ライン又は流体ドレン・ラインに結合させるように動作する第２のプロセッサ制御弁とを有することを特徴とするシリンダ・エンジン。
【請求項７】  流体レール・ライン、流体ドレン・ライン、マイクロプロセッサ・コントローラ、および複数の弁アセンブリを設け、
マルチシリンダ・エンジンの各単一シリンダと結合する複数の弁アセンブリ群の各弁アセンブリは、マルチシリンダ・エンジンの単一シリンダと結合するように構成した分離したモジュール・ハウジングを形成し、
上記モジュール・ハウジングは、第１の弁とこの第１の弁を制御し且つ上記流体レール・ライン又は流体ドレン・ラインに結合させるように動作する第１のマイクロプロセッサ制御される制御弁と、第２の弁と、この第２の弁を制御し且つ上記流体レール・ライン又は流体ドレン・ラインに結合させるように動作する第２のマイクロプロセッサ制御される制御弁とを設け、
各アセンブリの弁開口に対して第１および第２の弁の位置を調整してマルチシリンダ・エンジンの各単一シリンダ内のガス流速度に変化を与えることを特徴とするマルチシリンダ・エンジンを効率よく動作させる方法。
【手続補正書】
【提出日】平成18年3月10日(2006.3.10)
【手続補正１】
【補正対象書類名】明細書
【補正対象項目名】００２０
【補正方法】削除
【補正の内容】
【手続補正２】
【補正対象書類名】明細書
【補正対象項目名】図面の簡単な説明
【補正方法】追加
【補正の内容】
【図面の簡単な説明】
【図１】  この発明の一実施の触媒コンバータを示す。
【符号の説明】
１  第１の軸ゾーン
２  第２の軸ゾーン
３  通路
４  平坦なシート状金属層
５  波形のシート状金属層
６  ハニカム体
７  管状ケーシング
ａ  第１の軸ゾーンの長さ
ｂ  第２の軸ゾーンの長さ
Ｓ  流れの方向